【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
安全かみそりブレードユニットであって、
当該ブレードユニットの長さ方向に延びる鋭利な切刃を有した少なくとも１つのブレードと、
この少なくとも１つのブレードを支持する支持構造と、
を備え、
前記支持構造は、毛剃り中に当該ブレードユニット上に負荷される毛剃り力の下で、当該ブレードユニットの長さ方向に沿って弾性的に柔順であると共に、ばね要素を含んでおり、
このばね要素は、当該ばね要素の作用する領域内に負荷される毛剃り力の下での当該ブレードユニットの局所的な変形に抵抗するように当該ブレードユニットに沿って配置されたいる、ことを特徴とするブレードユニット。
【請求項２】
当該ブレードユニットに沿って数個の前記ばね要素が分散配置されている、ことを特徴とする請求項１記載の安全かみそりブレードユニット。
【請求項３】
前記支持構造は、前記少なくとも１つのブレードユニットがその上に担持される上側フレームを含んでいる、ことを特徴とする請求項１又は２記載の安全かみそりブレードユニット。
【請求項４】
前記支持構造は、上側フレームおよびサブフレームを含み、
前記ばね要素は、前記上側フレームと前記サブフレームとの間に介在され、
前記上側フレームおよび前記ばね要素は、当該ブレードユニットが毛剃り中に肌の輪郭に適合するように、毛剃り力の下で変形可能となっている、ことを特徴とする請求項１又は２記載の安全かみそりブレードユニット。
【請求項５】
各ばね要素は、前記上側フレームが前記サブフレームに向かって変位するのに従って、前記上側フレームに対して実質的に均等な復元力を及ぼすように変形可能である、ことを特徴とする請求項４記載の安全かみそりブレードユニット。
【請求項６】
前記ばね要素は、湾曲によって弾性変形する、ことを特徴とする請求項４又は５記載の安全かみそりブレードユニット。
【請求項７】
前記ばね要素は、弾性的に柔軟な材料のウェブを備えている、ことを特徴とする請求項４，５又は６記載の安全かみそりブレードユニット。
【請求項８】
前記ばね要素は、前記上側フレームと一体になっている、ことを特徴とする請求項４乃至７のいずれかに記載の安全かみそりブレードユニット。
【請求項９】
前記ばね要素は、前記サブフレームと一体になっている、ことを特徴とする請求項４乃至８のいずれかに記載の安全かみそりブレードユニット。
【請求項１０】
複数の前記ばね要素が、当該ブレードユニットの長さ方向と直交した平行平面内に位置する弾性的に柔軟な材料でできたウェブである、ことを特徴とする請求項４乃至９のいずれかに記載の安全かみそりブレードユニット。
【請求項１１】
前記上側フレームは、実質的に第１の平面内に位置し、
前記サブフレームは、第２の平面を画成し、
これらの第１および第２の平面は、当該ブレードユニットの前部から後部へ向かって互いに離間している、ことを特徴とする請求項４乃至１０のいずれかに記載の安全かみそりブレードユニット。
【請求項１２】
前記支持構造の前部において、前記上側フレームが前記サブフレームにヒンジ結合されている、ことを特徴とする請求項４乃至１１のいずれかに記載の安全かみそりブレードユニット。
【請求項１３】
前記上側フレームと前記サブフレームとが、一体ヒンジによってヒンジ結合されて一体化されている、ことを特徴とする請求項１２記載の安全かみそりブレードユニット。
【請求項１４】
安全かみそりブレードユニットであって、
鋭利な切刃を有した少なくとも１つのブレードと、
この少なくとも１つのブレードを支持する、ブレード・プラットフォーム構造と、中間構造と、ベースと、ヒンジ連結部と、ばね要素とを有した支持構造と、
を備え、
前記プラットフォーム構造は、前記少なくとも１つのブレードを担持すると共に、前記少なくとも１つのブレードの前方に位置する前部と、前記少なくとも１つのブレードの後方に位置する後部とを有し、
前記ヒンジ連結部は、前記中間構造と、前記ブレード・プラットフォーム構造の前部との間に設けられ、
前記中間構造は、前記ブレード・プラットフォーム構造の前部が前記ベースに向かって移動可能かつ前記ベースから遠ざかるように移動可能となるよう、前記ベースに対して可動に取り付けられ、
前記ばね要素は、前記ブレード・プラットフォーム構造の前部が前記ベースから遠ざかる向きに付勢されるように作用すると共に、前記ブレード・プラットフォーム構造の後部が前記ヒンジ連結部の回りで前記ベースから遠ざかる回動方向に付勢されるように作用し、
数個の前記ばね要素が、前記ブレード・プラットフォーム構造の各部分に作用するよう、当該ブレードユニットに沿って配置され、
前記ブレード・プラットフォーム構造の各部分が、前記ブレード・プラットフォーム構造の他の部分の対応した変位を伴うことなく、前記ばね要素の作用に抗して変位可能である、ことを特徴とする安全かみそりブレードユニット。
【請求項１５】
前記ブレード・プラットフォーム構造の各部分が、当該プラットフォーム構造の前部から後部へ向かう方向において撓曲可能である、ことを特徴とする請求項１４記載の安全かみそりブレードユニット。
【請求項１６】
安全かみそりブレードユニットであって、
鋭利な切刃を有した少なくとも１つのブレードと、
この少なくとも１つのブレードを支持する、ブレード・プラットフォーム構造と、サブフレームと、ベースと、ばね要素とを有した支持構造と、
を備え、
前記プラットフォーム構造は、前記少なくとも１つのブレードを担持し、
前記サブフレームは、前記少なくとも１つのブレードの前方で前記ブレード・プラットフォームにヒンジ結合された前縁部と、前記ベースにヒンジ結合された後縁部とを有し、
前記ばね要素は、前記ブレード・プラットフォーム構造を前記ベースから遠ざかる方向に付勢するよう、前記サブフレームと前記ブレード・プラットフォーム構造との間に作用すると共に、前記サブフレームと前記ベースとの間に作用する、ことを特徴とする安全かみそりブレードユニット。
【請求項１７】
当該ブレードユニットに沿って数個の前記ばね要素が分散配置され、これらのばね要素が、前記サブフレームと、前記ブレード・プラットフォーム構造の各部分との間に作用する、ことを特徴とする請求項１６記載の安全かみそりブレードユニット。
【請求項１８】
当該ブレードユニットに沿って数個の前記ばね要素が分散配置され、これらのばね要素が、前記ベースと、前記サブフレームの各部分との間に作用する、ことを特徴とする請求項１６又は１７記載の安全かみそりブレードユニット。
【請求項１９】
前記ばね要素は、湾曲によって弾性変形するように構成された、弾性的に柔軟な材料のウェブを備えている、ことを特徴とする請求項１７又は１８記載の安全かみそりブレードユニット。
【請求項２０】
前記ブレード・プラットフォーム構造は、前記サブフレームに対して一体ヒンジによって一体的に結合されている、ことを特徴とする請求項１９記載の安全かみそりブレードユニット。
【請求項２１】
前記サブフレームは、前記ベースに対して一体ヒンジによって一体的に結合されている、ことを特徴とする請求項１９又は２０記載の安全かみそりブレードユニット。
【請求項２２】
前記ブレード・プラットフォーム構造、前記サブフレーム、前記ベースおよび前記ばね要素が、一体成型によって形成されている、ことを特徴とする請求項１６乃至２１のいずれかに記載の安全かみそりブレードユニット。
【請求項２３】
ハンドルと、請求項１乃至２２のいずれかに記載のブレードユニットとを備えたことを特徴とする安全かみそり。